(57)【要約】  本発明に係る制御装置（１００）は、遠隔制御システムにおいて表示装置（２００）の調整機能を制御するための装置であって、表示装置（２００）宛の制御信号を受信し、制御信号に含まれる制御コードを表示装置（２００）へ出力する受信部（１２０）と、表示装置（２００）の周囲の物理特性を測定する測定部（１１０）と、測定部（１１０）で測定された測定データを制御コードと同じエンコード規則に従って測定コードに変換し、測定コードを表示装置（２００）へ出力する制御部（１３０）とを備える。
2010084607.tif 000002
【特許請求の範囲】
【請求項１】
遠隔制御システムにおいて表示装置の調整機能を制御するための装置であって、
前記表示装置宛の制御信号を受信し、当該制御信号に含まれる制御コードを前記表示装置へ出力する受信部と、
前記表示装置の周囲の物理特性を測定する測定部と、
前記測定部で測定された測定データを前記制御コードと同じエンコード規則に従って測定コードに変換し、当該測定コードを前記表示装置へ出力する制御部と
を備える制御装置。
【請求項２】
前記制御部は、前記受信部が出力すべき制御コードを受信すると、当該制御コードが優先的に出力されるように、前記受信部を制御する、請求項１に記載の制御装置。
【請求項３】
前記測定部が、前記表示装置の周囲の照度を測定する照度センサを含み、前記表示装置の周囲の照度に基づいて、前記表示装置の調整機能である輝度調整機能を制御する、請求項１または２に記載の制御装置。
【請求項４】
前記測定部が、前記表示装置の周囲の温度を測定する温度センサを含み、前記表示装置の周囲の温度に基づいて、前記表示装置の調整機能であるファン回転数調整機能を制御する、請求項１または２に記載の制御装置。
【請求項５】
前記測定部が、前記表示装置の周囲の気圧を測定する気圧センサを含み、前記表示装置の周囲の気圧に基づいて、前記表示装置の調整機能であるファン回転数調整機能を制御する、請求項１または２に記載の制御装置。
【請求項６】
遠隔制御システムの制御装置において表示装置の調整機能を制御する方法であって、
前記表示装置の調整機能を制御するために用いられる測定部を含み、かつ遠隔操作制御の実行により測定情報伝送状態から遠隔制御情報伝送状態に移行する段階を含む、表示装置の調整機能の制御方法。
【発明の詳細な説明】
【技術分野】
【０００１】
本発明は、遠隔操作機器等を用いた遠隔制御システムにおいて表示装置の調整機能を制御する装置および方法に関する。
【背景技術】
【０００２】
液晶ディスプレイ等の表示装置にあっては、遠隔操作機器によって調整する方式のものが知られている。このような場合、遠隔操作機器からの制御信号を受信する受信部は、遠隔操作機器からの制御信号をより確実に受信するために、表示装置のベゼル表面に設けられることが多い。また、表示装置の輝度を、周囲の明るさに応じて自動的に制御するためには、周囲の明るさを測定するための照度センサが必要となる。このような照度センサも、ベゼルの表面等、周囲の明るさを精確に測定しやすい位置に設けられることが多い。【０００３】
ところで、ＤＴＰやグラフィックス等の分野では、１台のコンピュータに２台以上のディスプレイを接続し、あたかも１台の大きなディスプレイであるかのように表示させる、マルチディスプレイと呼ばれる機能が多く利用されている。マルチディスプレイでは、ディスプレイ同士が上下左右に並べて設置されている。【０００４】
このようなマルチディスプレイを目的とした表示装置として、ベゼルの幅を狭くすることにより、各単位ディスプレイの境界が気にならないようにしたディスプレイも提供されつつある。そして、このようなベゼルの幅を狭くした表示装置においても、そのベゼル部分には、上記のような遠隔操作機器からの制御信号を受信する受信部や、照度センサ等が設けられている。さらに、マルチディスプレイ環境で、高精度の解像度が要求されるような図面や映像等のウィンドウを、並設された複数の表示装置に跨いで表示するような場合にも、上記のようなベゼルの幅が狭い表示装置の採用が望ましい。
【特許文献１】特開２００１−０７８２７７号公報
【特許文献２】特開２００３−０９９００４号公報
【特許文献３】特開２００８−１５９４３３号公報
【発明の開示】
【発明が解決しようとする課題】
【０００５】
しかるに、ベゼル幅の狭いディスプレイといっても、ベゼル部分に遠隔操作機器からの制御信号を受信する受信部やセンサ等が配置される限り、マルチディスプレイとして使用する場合には、隣接するディスプレイ同士のベゼルの幅が広く見えるという問題がある。また、マルチディスプレイにおける輝度調整は、ディスプレイ毎に個別に行う必要があり、調整に時間がかかるだけでなく、ディスプレイ毎の輝度に差異が生じる要因ともなるという問題がある。【０００６】
さらに、同一仕様のディスプレイによってマルチディスプレイを構成すると、各ディスプレイに対応する遠隔操作制御のための制御コードも同一となる。そのため、遠隔操作機器から送信される制御信号中の制御コードが、マルチディスプレイを構成する全てのディスプレイで処理されてしまい、特定のディスプレイを指定して遠隔操作制御することができないという問題がある。【０００７】
そのため、マルチディスプレイを構成するディスプレイ毎の遠隔操作機器を用意し、各ディスプレイとそれに対応する遠隔操作機器を関連付けて、各ディスプレイが、関連付けられた遠隔操作機器の制御コードだけを処理するようにしている。しかし、ディスプレイ毎の遠隔操作機器を用意し、複数の遠隔操作機器によって操作しなければならず、コスト的にも効率的にも問題がある。【０００８】
本発明は、このような事情に鑑みてなされたものであって、遠隔操作による制御信号の受信部やセンサ等を備えていない表示装置に対しても、遠隔操作機器や各種センサから取得される情報を利用して遠隔制御を行うことができる、遠隔制御システムにおいて表示装置の調整機能を制御する装置および方法を提供することを目的とする。
【課題を解決するための手段】
【０００９】
上記課題を解決するための本発明に係る制御装置は、遠隔制御システムにおいて表示装置の調整機能を制御するための装置であって、前記表示装置宛の制御信号を受信し、当該制御信号に含まれる制御コードを前記表示装置へ出力する受信部と、前記表示装置の周囲の物理特性を測定する測定部と、前記測定部で測定された測定データを前記制御コードと同じエンコード規則に従って測定コードに変換し、当該測定コードを前記表示装置へ出力する制御部とを備える。【００１０】
上記課題を解決するための本発明に係る表示装置の調整機能の制御方法は、前記表示装置の調整機能を制御するために用いられる測定部を含み、かつ遠隔操作制御の実行により測定情報伝送状態から遠隔制御情報伝送状態に移行するときに、測定情報伝送状態を停止する段階を含む。
【図面の簡単な説明】
【００１１】
【図１】本発明に係る制御装置の構成を示すブロック図である。
【図２】本発明に係る制御装置を用いた表示装置の遠隔制御システムを示すシステム構成図である。
【図３】本発明に係る制御装置と複数の表示装置を接続する実施形態を示す図である。
【図４】本発明に係る制御装置と複数の表示装置を接続する別の実施形態を示す図である。
【図５】本発明に係る測定コードの送信に係る処理手順を示すフローチャートである。
【符号の説明】
【００１２】
１００…制御装置
１１０…測定部
１２０…受信部
１３０…制御部
１３１…測定データ入力ポート
１３２…測定コード出力ポート
１３３…割り込みポート
１４０…接続部
２００…表示装置
２１０…接続部
２２０…接続部
３００…遠隔操作機器
４００…ケーブル
５００…表示装置
５１０…接続部
５２０…接続部
【発明を実施するための最良の形態】
【００１３】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。【００１４】
図１は、本発明に係る制御装置の構成を示すブロック図である。制御装置１００は、測定部１１０と、受信部１２０と、制御部１３０と、接続部１４０とを有する。制御装置１００は、接続部１４０と表示装置２００とをケーブル接続することによって、表示装置２００と電気的に接続される。【００１５】
測定部１１０は、接続部１４０に接続される表示装置２００の周囲の物理特性を測定するものである。なお、物理特性とは、明るさや気温、気圧等、何らかの科学的原理を応用して、信号に置き換えることができる事象である。例えば、制御装置１００を利用して表示装置２００の輝度を制御する場合、表示装置２００の周囲の明るさを物理特性として測定する。その場合、測定部１１０は、照度センサ等の明るさを検出し得る検出器と、照度センサの出力をＡ／Ｄ変換するＡ／Ｄ変換器とを有する。制御部１３０の入力ポート１３１がアナログ入力に対応している場合には、照度センサ等の出力を直接測定データ入力ポート１３１に入力してもよい。この場合、照度センサ等の出力は、制御部１３０の内部でＡ／Ｄ変換される。【００１６】
受信部１２０は、遠隔操作機器３００から制御信号を受信するものである。遠隔操作機器３００から送信される制御信号は、表示装置２００を制御するための制御コードを含む。受信部１２０は、遠隔操作機器３００から制御信号を受信すると、制御信号中の制御コードを取り出し、取り出した制御コードを接続部１４０と接続される表示装置２００へ送信する。なお、制御コードとは、表示装置２００を制御するための命令情報が所定の規則に従ってエンコードされたものである。【００１７】
制御部１３０は、測定部１１０や受信部１２０を制御するものであって、測定データ入力ポート１３１と、測定コード出力ポート１３２と、割り込みポート１３３とを有する。測定データ入力ポート１３１は、測定部１１０と接続され、測定部１１０から出力された測定データを受け付けるインタフェースである。【００１８】
割り込みポート１３３は、受信部１２０から割り込み要求を受け付けるインタフェースである。割り込み要求は、受信部１２０が遠隔操作機器３００から制御信号を受信した場合に要求される。割り込み要求があると、制御部１３０は、測定部１１０の動作を停止して、受信部１２０による制御コードの送信が優先的に処理されるように制御する。【００１９】
図２は、本発明に係る制御装置を用いた表示装置の遠隔制御システムを示すシステム構成図である。本システムは、制御装置１００と、表示装置２００と、遠隔操作機器３００とを有し、遠隔操作機器３００による遠隔操作制御の実行や、制御装置１００の測定部１１０で取得される物理特性に応じて、表示装置２００の調整機能を制御するものである。【００２０】
表示装置２００は、制御装置１００と接続するための接続部２１０を有する。接続部２１０は、制御装置１００の接続部１４０とケーブル４００で接続される。従って、マルチディスプレイを構成するときの妨げとならないように、接続部２１０は、表示装置２００の背面等に配設することが好ましい。
表示装置２００は、制御装置１００から送信される制御コードをデコードして、制御コードで示される制御内容に従って制御される機能を有する。また、表示装置２００は、制御装置１００から送信される測定コードをデコードして、測定コードで示される測定情報に従って調整する調整機能を有する。【００２１】
遠隔操作機器３００は、表示装置２００を制御するための制御信号を、制御装置１００の受信部１１０へ向けて無線送信するものである。制御装置１００と遠隔操作機器３００は、共通のプロトコルを採用する。遠隔操作機器３００として、例えば赤外線リモコンを使用することができる。【００２２】
図３は、本発明に係る制御装置と複数の表示装置を接続する実施形態を示す図である。本実施形態の表示装置２００は、１つの接続部２１０しか備えていない。このような場合、制御装置１００は、複数の表示装置２００を個別に接続するために、複数の接続部１４０を有する。そして、制御装置１００の各接続部１４０が、各表示装置２００の接続部２１０と、ケーブル４００でそれぞれ接続される。即ち、制御装置１００は、各表示装置２００を並列接続される。従って、制御装置１００から送信される制御コードや測定コードは、各表示装置２００で一斉に受信される。【００２３】
図４は、本発明に係る制御装置と複数の表示装置を接続する別の実施形態を示す図である。本実施形態の表示装置２００（５００）は、２つの接続部２１０、２２０（５１０、５２０）を有する。表示装置２００（５００）の２つの接続部２１０、２２０（５１０、５２０）は、それぞれ入力用の接続部２１０（５１０）と、出力用の接続部２２０（５２０）として使用される。このような場合、制御装置１００の接続部１４０は１つだけであってもよい。【００２４】
本実施形態においては、制御装置１００の接続部１４０は、第１の表示装置２００の入力用の接続部２１０と、ケーブル４００によって接続される。そして、第１の表示装置２００の出力用の接続部２２０が、第２の表示装置５００の入力用の接続部５１０と、ケーブル４００によって接続される。同様に、第２の表示装置５００の出力用の接続部５２０が、図示しない第３の表示装置の入力用の接続部と接続される。なお、各ケーブル４００は、同一の仕様である。【００２５】
即ち、制御部１００と複数の表示装置２００（５００）とは、それぞれカスケード接続される。従って、制御装置１００から送信される制御コードや測定コードは、第１の表示装置２００、第２の表示装置５００、第３の表示装置・・・と、カスケードされた表示装置のうち、制御装置１００に近い表示装置から順番に受信される。【００２６】
図５は、本発明に係る測定コードの送信に係る処理手順を示すフローチャートである。図５を参照して、上記のように構成された制御装置１００における測定コードの送信に係る処理手順について説明する。以下の説明においては、表示装置２００の周囲の明るさを測定する場合を例にとって説明する。【００２７】
まず、測定部１１０の照度センサによって、表示装置２００の周囲の明るさが測定される（Ｓ１０１）。照度センサは、周囲光の変化を検出するために常時動作していることが望ましい。照度センサによって得られた明るさを示す測定情報は、測定部１１０でＡ／Ｄ変換され、測定データとして、制御部１３０の測定データ入力ポートに入力される（Ｓ１０２）。制御部１３０の入力ポート１３１がアナログ入力に対応している場合には、照度センサの出力は、制御部１３０の測定データ入力ポートに直接入力され、制御部１３０内でＡ／Ｄ変換される。【００２８】
次に、制御部１３０は、測定部１１０から入力された測定データを、制御コードと同じ所定の規則に従って、測定コードにエンコードする（Ｓ１０３）。そして、制御部１３０は、接続部１４０と接続される表示装置２００へ測定コードを送信する（Ｓ１０４）。測定コードが表示装置２００へ送信されると、一定時間経過した後（Ｓ１０５）、制御部１３０は、測定部１１０による照度の測定を再開させる（Ｓ１０１）。【００２９】
測定コードの送信に係る処理は、上記手順を繰り返すが、制御装置１００の制御部１３０は、割り込みポート１３３における受信部１２０からの割り込み要求を常に監視している。制御部１３０は、受信部１２０から割り込みポート１３３へ割り込み要求があると、いつでも上記処理を停止する。測定コードの送信に係る処理が停止されると、受信部１２０は、遠隔操作機器３００から受信した制御信号から制御コードを取り出して、当該制御コードを表示装置２００へ送信する。制御コードが送信されると、制御部１３０は、再度、明るさの測定を行う。【００３０】
このように、制御装置１００は、一定時間置きに、表示装置２００の周囲の照度を測定し、表示装置２００へ測定コードを送信する処理を繰り返す。また、制御装置１００は、遠隔操作機器３００から制御信号を受信すると、制御信号中の制御コードを優先的に表示装置２００に送信する。【００３１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれることが、特許請求の範囲の記載から明らかである。【００３２】
例えば、制御装置１００の測定部１１０に照度センサを用いた実施形態について説明してきたが、測定部１１０のセンサは、照度センサに限られず、各種センサを用いることが可能である。例えば、温度センサや気圧センサを用いて表示装置２００の周囲の温度・気圧を測定し、測定温度・気圧に基づいて表示装置２００の調整機能であるファン回転数調整機能を制御することができる。【００３３】
以上の説明から明らかなように、本発明によれば、遠隔操作による制御信号の受信部やセンサ等を備えていない表示装置に対しても、遠隔操作機器や各種センサから取得される情報を利用して遠隔制御を行うことができる。
【図１】
2010084607.tif 000003
【図２】
2010084607.tif 000004
【図３】
2010084607.tif 000005
【図４】
2010084607.tif 000006
【図５】
2010084607.tif 000007
【手続補正書】
【提出日】平成23年8月11日(2011.8.11)
【手続補正２】
【補正対象書類名】明細書
【補正対象項目名】０００１
【補正方法】変更
【補正の内容】
【０００１】
本発明は、遠隔操作機器等を用いた遠隔制御システムにおいて表示装置の調整機能を制御する装置に関する。
【手続補正３】
【補正対象書類名】明細書
【補正対象項目名】０００８
【補正方法】変更
【補正の内容】
【０００８】
本発明は、このような事情に鑑みてなされたものであって、遠隔操作による制御信号の受信部やセンサ等を備えていない表示装置に対しても、遠隔操作機器や各種センサから取得される情報を利用して遠隔制御を行うことができる、遠隔制御システムにおいて表示装置の調整機能を制御する装置を提供することを目的とする。
【手続補正４】
【補正対象書類名】特許請求の範囲
【補正対象項目名】全文
【補正方法】変更
【補正の内容】
【特許請求の範囲】
【請求項１】
遠隔制御システムにおいて表示装置の調整機能を制御するための装置であって、
前記表示装置宛の制御信号を受信し、当該制御信号に含まれる制御コードを前記表示装置へ出力する受信部と、
前記表示装置の周囲の物理特性を測定する測定部と、
前記測定部で測定された測定データを前記制御コードと同じエンコード規則に従って測定コードに変換し、当該測定コードを前記表示装置へ出力する制御部と
を備える制御装置。
【請求項２】
前記制御部は、前記受信部が出力すべき制御コードを受信すると、当該制御コードが優先的に出力されるように、前記受信部を制御する、請求項１に記載の制御装置。
【請求項３】
前記測定部が、前記表示装置の周囲の照度を測定する照度センサを含み、前記表示装置の周囲の照度に基づいて、前記表示装置の調整機能である輝度調整機能を制御する、請求項１または２に記載の制御装置。
【請求項４】
前記測定部が、前記表示装置の周囲の温度を測定する温度センサを含み、前記表示装置の周囲の温度に基づいて、前記表示装置の調整機能であるファン回転数調整機能を制御する、請求項１または２に記載の制御装置。
【請求項５】
前記測定部が、前記表示装置の周囲の気圧を測定する気圧センサを含み、前記表示装置の周囲の気圧に基づいて、前記表示装置の調整機能であるファン回転数調整機能を制御する、請求項１または２に記載の制御装置。
【国際調査報告】
2010084607.tif 000008
2010084607.tif 000009
2010084607.tif 000010
2010084607.tif 000011
2010084607.tif 000012
2010084607.tif 000013
2010084607.tif 000014
2010084607.tif 000015